(57)【要約】  充填材（１８）を保持するための複数のポケットが設けられたカバー（１４）を持つ布団マットレス（１０）を提供する。カバー（１４）の上面（２２）は下面（２６）に結合されている。カバー（１４）の内側表面へのアクセスを選択的に許容するため、閉鎖装置（３４）がカバー（１４）に結合されている。幾つかの実施例では、閉鎖装置により、上面（２４）及び下面（２６）を互いに選択的に取り外すことができる。カバー（１４）の上面（２２）は、カバー（１４）の内側からのみアクセスできる複数の第１ポケット（３８）を有し、例えば粘弾性フォーム等の充填材（１８）が複数の第１ポケットの各ポケット（３８、４２）内に収容されている。幾つかの実施例は、更に、カバー（１４）の下部（２６）の内側面に沿って位置決めされた複数の第２ポケット（４２）を有する。複数の第２ポケット（４２）もまた、カバー（１４）の内側からのみアクセスできる充填材（１８）を収容する。【選択図】図１
2008515574.tif 000002
【特許請求の範囲】
【請求項１】
布団マットレスであって、
上部分が下部分に結合されたカバーと、
前記上部分と前記下部分との間に位置決めされた閉鎖装置と、
前記カバーの前記上部分に沿って位置決めされたポケットからなる第１の層と、
前記カバーの前記下部分に沿って位置決めされたポケットからなる第２の層と、
前記第１の層のポケット及び前記第２の層のポケット内に位置決めされた充填材とを備えている、布団マットレス。
【請求項２】
請求項１に記載の布団マットレスにおいて、
上部分を有する前記カバーは、前記下部分に選択的に結合される、布団マットレス。
【請求項３】
請求項１又は２に記載の布団マットレスにおいて、
前記閉鎖装置は、前記カバーの前記上部分及び前記下部分の内側表面への接近を選択的に許容するように、前記カバーに結合されている、布団マットレス。
【請求項４】
請求項１乃至３に記載の布団マットレスにおいて、
前記閉鎖装置は、前記上部分が前記下部分から分離されることを選択的に許容するように、移動可能である、布団マットレス。
【請求項５】
請求項１乃至４のうちのいずれか一項に記載の布団マットレスにおいて、
前記第１の層のポケットは、前記カバーの前記上部分の内側表面に沿って位置決めされ且つ前記カバーの内側からのみ接近可能な充填材を収容する、複数のポケットを備える、布団マットレス。
【請求項６】
請求項１乃至５のうちのいずれか一項に記載の布団マットレスにおいて、
前記第２の層のポケットは、前記カバーの前記下部分の内側表面に沿って位置決めされ且つ前記カバーの内側からのみ接近可能な充填材を収容する、複数のポケットを備える、布団マットレス。
【請求項７】
請求項１乃至６のうちのいずれか一項に記載の布団マットレスにおいて、
前記カバーの前記上部分及び前記下部分の各々は、所定の長さ及び幅を有し、前記第１の層のポケットは、前記カバーの前記上部分を実質的に覆うように、前記長さに沿って並列状態で位置決めされている、布団マットレス。
【請求項８】
請求項７に記載の布団マットレスにおいて、
前記第１の層のポケットは、前記カバーの前記上部分の内側表面を実質的に覆う、布団マットレス。
【請求項９】
請求項７に記載の布団マットレスにおいて、
前記第１の層のポケットは、各々、実質的に前記カバーの前記幅に亘って延びている、布団マットレス。
【請求項１０】
請求項７に記載の布団マットレスにおいて、
前記第２の層のポケットは、前記カバーの前記下部分を実質的に覆うように、前記長さに沿って並列状態で位置決めされている、布団マットレス。
【請求項１１】
請求項１０に記載の布団マットレスにおいて、
前記第２の層のポケットは、前記カバーの前記下部分の内側表面を実質的に覆う、布団マットレス。
【請求項１２】
請求項１０に記載の布団マットレスにおいて、
前記第２の層のポケットは、各々、実質的に前記カバーの前記幅に亘って延びている、布団マットレス。
【請求項１３】
請求項１に記載の布団マットレスにおいて、
前記第１の層のポケットの前記充填材は第１の充填材であり、この第１の充填材は、主に粘弾性発泡体を備える、布団マットレス。
【請求項１４】
請求項１３に記載の布団マットレスにおいて、
前記粘弾性発泡体の充填材を備える前記第１の充填材は、各ポケットごとに、布製カバー内に収容される、布団マットレス。
【請求項１５】
請求項１３に記載の布団マットレスにおいて、
前記第２の層のポケットの前記充填材は第２の充填材であり、この第２の充填材は、前記第１の層のポケット内の前記第１の充填材とは異なる、布団マットレス。
【請求項１６】
請求項１５に記載の布団マットレスにおいて、
前記第２の層のポケットの前記第２の充填材は、各ポケットごとに、布製カバー内に収容される、布団マットレス。
【請求項１７】
請求項１５に記載の布団マットレスにおいて、
前記第２の層のポケットの前記第２の充填材は、主に非粘弾性発泡体を備える、布団マットレス。
【請求項１８】
請求項１に記載の布団マットレスにおいて、更に、
前記充填材を選択的に取り除くことができるように各ポケットを選択的に開閉するため、前記第１の層のポケットの各々にジッパーが設けられており、該ジッパーは、前記カバーの内側からのみ接近可能である、布団マットレス。
【請求項１９】
請求項１に記載の布団マットレスにおいて、
前記閉鎖装置はジッパーである、布団マットレス。
【請求項２０】
請求項１に記載の布団マットレスにおいて、
前記第１の層のポケット及び前記第２の層のポケットは、各々、充填材を取り除くため、前記カバーの内側からのみ接近可能である、布団マットレス。
【請求項２１】
布団マットレスであって、
上部分が下部分に結合されたカバーと、
前記カバーの前記上部分及び前記下部分の内側表面への接近を選択的に許容するように、前記カバーに結合された閉鎖装置と、
前記カバーの前記上部分の内側表面に沿って位置決めされ、且つ、前記カバーの内側からのみ接近可能な充填材を収容する、複数の第１ポケットと、
前記カバーの前記下部分の内側表面に沿って位置決めされ、且つ、前記カバーの内側からのみ接近可能な充填材を収容する、複数の第２ポケットとを備える、布団マットレス。
【請求項２２】
請求項２１に記載の布団マットレスにおいて、
前記カバーの前記上部分及び前記下部分の各々は所定の長さ及び幅を有し、前記複数の第１ポケットは、前記カバーの前記上部分の前記内側表面を実質的に覆うように、前記長さに沿って並列状態で位置決めされている、布団マットレス。
【請求項２３】
請求項２２に記載の布団マットレスにおいて、
前記複数の第１ポケットの各ポケットは、実質的に前記カバーの前記幅に亘って延びている、布団マットレス。
【請求項２４】
請求項２２に記載の布団マットレスにおいて、
前記複数の第２ポケットは、前記カバーの前記下部分の前記内側表面を実質的に覆うように、前記長さに沿って並列状態で位置決めされている、布団マットレス。
【請求項２５】
請求項２４に記載の布団マットレスにおいて、
前記複数の第２ポケットの各ポケットは、実質的に前記カバーの前記幅に亘って延びている、布団マットレス。
【請求項２６】
請求項２１に記載の布団マットレスにおいて、
前記充填材は、各ポケットごとに、布製カバー内に収容されている、布団マットレス。
【請求項２７】
請求項２１に記載の布団マットレスにおいて、
前記複数の第１ポケットの各ポケット内に収容された前記充填材は、粘弾性発泡体を備える、布団マットレス。
【請求項２８】
請求項２１に記載の布団マットレスにおいて、
前記複数の第２ポケットの前記充填材は、前記複数の第１ポケット内の前記粘弾性発泡体の充填材と異なる、布団マットレス。
【請求項２９】
請求項２１に記載の布団マットレスにおいて、更に、
前記充填材を選択的に取り除くことができるように各ポケットを選択的に開閉するため、前記複数の第１ポケットの各ポケットにジッパーが設けられており、該ジッパーは、前記カバーの内側からのみ接近可能である、布団マットレス。
【請求項３０】
請求項２１に記載の布団マットレスにおいて、
前記閉鎖装置は、前記カバーに結合されたジッパーである、布団マットレス。
【請求項３１】
請求項３０に記載の布団マットレスにおいて、
前記ジッパーは、前記上部分と前記下部分との間の境界面の少なくとも一部に沿って位置決めされている、布団マットレス。
【請求項３２】
請求項２１に記載の布団マットレスにおいて、
前記閉鎖装置は、前記上部分が前記カバーの前記下部分から分離されることを選択的に許容するように、前記上部分と前記下部分との間の境界面に沿って位置決めされている、布団マットレス。
【請求項３３】
布団マットレスであって、
上面が下面に結合され、且つ、前記上面及び前記下面の各々が所定の長さ及び幅を有するカバーと、
前記上面が前記下面から分離されることを選択的に許容するように、前記カバーの前記上面と前記下面との間の境界面に沿って位置決めされたジッパーと、
前記カバーの前記上部の内側表面に沿って位置決めされ、且つ、前記カバーの内側からのみ接近可能な第１充填材を収容する、前記カバーの前記上部の前記長さに沿って並列状態で位置決めされた複数の第１ポケットと、
前記カバーの前記下部の内側表面に沿って位置決めされ、且つ、前記カバーの内側からのみ接近可能な第２充填材を収容する、前記カバーの前記下部の前記長さに沿って並列状態で位置決めされた複数の第２ポケットとを有する、布団マットレス。
【発明の詳細な説明】
【技術分野】
【０００１】
本発明は、全体として、マットレスのカバー内に充填材を収容するための複数のポケットを有する布団マットレスに関する。
【背景技術】
【０００２】
布団マットレスは、一般的には、保護カバーに入ったクッション性のある充填材を有する。例えば、幾つかの布団マットレスには、十分なクッション性を提供するため、コットンの詰め物、羊毛詰め物、発泡体、等が入っている。しかしながら、布団クッションを何回も使用すると、外カバーが容易に汚れてしまう。多くの従来の布団クッションのカバーは、容易にはクリーニングできない。これは、カバーをクッション性のある充填材から便利に取り外すことができないためである。
【発明の開示】
【発明が解決しようとする課題】
【０００３】
本発明は、全体として、マットレスのカバー内に充填材を収容するための複数のポケットを有する布団マットレスに関する。充填材はポケット及びカバーから取り除くことができ、これによりカバーを容易に洗濯できる。幾つかの実施例では、カバーの上側を別に洗濯できるように、カバーの上側をカバーの下側から分離できる。
【課題を解決するための手段】
【０００４】
本発明の一実施例は、上部分が下部分に結合されたカバーと、カバーの上部分及び下部分の内側表面への接近（ａｃｃｅｓｓ）を選択的に許容するようにするため、カバーに結合された閉鎖装置とを含む布団マットレスに関する。複数の第１ポケットが、カバーの上部分の内側表面に沿って位置決めされており、カバーの内側からのみ接近可能な充填材を収容している。複数の第２ポケットが、カバーの下部分の内側表面に沿って位置決めされており、カバーの内側からのみ接近可能な充填材を収容している。
【０００５】
別の実施例は、上部分と下部分との間に位置決めされた閉鎖装置を介して上部分を下部分に選択的に結合したカバーを有する布団マットレスに関する。閉鎖装置は、上部分を下部分から分離する（ｕｎｃｏｕｐｌｅ）ことを選択的に許容するように移動可能である。カバーの上部分は、複数のポケットからなる第１の層を有し、カバーの下部分は、複数のポケットからなる第２の層を有する。第１の層のポケット及び第２の層のポケットには、充填材が入れられる。
【０００６】
別の実施例は、上面が下面に結合されたカバーを有し、このカバーの上面及び下面の各々が所定の長さ及び幅を有する、布団マットレスに関する。上面を下面から分離することを選択的に許容するように、ジッパーが上面と下面との間の境界面に沿って位置決めされる。複数の第１ポケットがカバーの上部の内側表面に沿って位置決めされており、カバーの内側からのみ接近可能な第１充填材を収容する。複数の第１ポケットは、カバーの上部の長さに沿って並列状態に位置決めされる。複数の第２ポケットがカバーの下部の内側表面に沿って位置決めされており、カバーの内側からのみ接近可能な第２充填材を収容する。複数の第２ポケットは、カバーの下部の長さに沿って並列状態に位置決めされる。
【０００７】
本発明のこれらの及び他の特徴は、その構成及び作用とともに、本発明の以下の詳細な説明を添付図面と関連して読むことにより、明らかになるであろう。
【０００８】
添付図面では、同様の部分に同じ参照番号が付してある。
【発明を実施するための最良の形態】
【０００９】
本発明の実施例を詳細に説明する前に、本発明の用途は、以下の説明に記載し、添付図面に示した構成要素の構造及び構成の詳細に限定されないということが理解されるべきである。本発明は、他の実施例が可能であり、様々な方法で実施できる。更に、本明細書で使用した言い回しや用語は、説明を目的としたものであって、限定であると考えられるべきではないということが理解されるべきである。「含む」、「備える」、又は「有する」といった用語は、それ以降に列挙したもの及びその等価物並びに追加のものを含むということを意味する。「取り付け」、「接続」、及び「結合」といった用語は、広い意味で使用され、直接的な及び間接的な取り付け、接続、及び結合を含む。更に、「接続」及び「結合」は、物理的な又は機械的な接続又は結合に限定されず、直接的又は間接的のいずれかの電気的な接続又は結合を含む。
【００１０】
図１乃至図６は、本発明の一実施例を例示する。図１及び図２に示すように、例示のマットレスは、布団マットレスとして使用されるようになっている。換言すると、マットレスは折り畳み等の操作により、マットレスの形態を、図２に示す一杯に拡げた状態から図１に示す折り畳んだ状態に容易に変えることができる。マットレスを図１に示すように操作することにより、マットレスを容易に収納でき、又は座るといった別の目的で使用できる。
【００１１】
図２及び図６に最も良く示すように、例示のマットレス１０は、充填材１８を入れた布製ケース又はカバー１４を有する。カバー１４は、充填材１８を収容し、保護する。カバー１４は上部分２２を有し、この上部分は周縁３０に沿って下部分２６に結合されている。上部分２２は、下部分に、縫製、接着剤又は粘着剤、等によって結合できる。更に、マットレス１０の内部への選択的なアクセスを許容するため、ジッパー（ｚｉｐｐｅｒ）、面ファスナ（ｈｏｏｋ  ａｎｄ  ｌｏｏｐ  ｆａｓｔｅｎｅｒ）、等の閉鎖装置３４をマットレスに結合できる。閉鎖装置３４は、カバー１４の上部分２２と下部分２６との間の結合部の部分を形成できる。このような閉鎖装置３４によって許容されるアクセスは、充填材１８を再形成したりカバー１４から取り出すのに使用できる。また、充填材を取り出した状態でカバー１４を容易に洗濯できる。
【００１２】
マットレス１０の上部分２２の方が汚れ易いため、場合によっては、下部分２６を洗濯せずに、カバー１４の上部分２２だけを洗濯するのが望ましい。従って、幾つかの実施例では、閉鎖装置３４は、カバー１４の上部分２２と下部分２６との間の結合部全体を形成してもよい。このような実施例では、所望であれば、上部分２２と下部分２６とを別々に洗濯できるように、上部分２２を下部分２６から分離又は外すことができる。例えば、図２及び図３に示すように、閉鎖装置３４又はジッパーを操作することによって、カバー１４の上部分２２をカバー１４の下部分２６から分離又は外すことができる。
【００１３】
例示の実施例では、上部分２２を下部分２６から取り除くように、上部分２２を下部分２６から分離又は外すことができるように示してあるが、他の実施例では、これらの部分が、互いから分離できるが取り除かれることがないようにすることができる。例えば、幾つかの実施例では、上部分２２を下部分２６に周縁３０の大部分に沿って閉鎖装置３４を介して結合すると共に、縫い目又は他の実質的に永久的な接続部を使用して上部分２２を下部分２６に周縁３０の一部だけに沿って接続してもよい。幾つかの実施例では、カバー１４の少なくとも一つの側部又は縁部に沿って、上部分２２が下部分２６に実質的に永久的に接続されていてもよい。従って、これらの変形例では、上部分２２を、下部分２６に隣接する支持面上に位置決めされてカバー１４の内部へのアクセスを可能にするように、下部分２６から分離することができる。
【００１４】
カバー１４は、多くの様々な材料から形成できる。幾つかの実施例では、カバー１４の上部分２２は第１材料から形成され、これに対し、カバー１４の下部分２６は第２材料から形成される。例えば、カバー１４の上部分２２は比較的柔らかなベロアのような触感を備えていてもよいのに対し、カバー１４の下部分２６は滑らない材料から形成されていてもよい。しかしながら、他の実施例では、カバー１４の上部分２２及び下部分２６の両方を同じ種類の材料から形成する。
【００１５】
図３乃至図６に示すように、カバー１４は、充填材１８を保持するため、複数のポケット３８、４２を有する。複数の第１ポケット３８がカバー１４の上部分２２に接続されている。複数の第１ポケット３８は、実質的にカバー１４の全長Ｌに亘って延びるように、一つの層をなして配置されているか或いはカバー１４の上部分２２に沿って並列状態に（ｓｉｄｅ−ｂｙ−ｓｉｄｅ）位置決めされている。複数の第１ポケット３８の各ポケットは、実質的にカバー１４の幅Ｗに亘って延びている。しかしながら、他の構造では、二つ以上のポケットがカバー１４の幅Ｗに亘って延びていてもよい。例えば、幾つかの実施例では、特定の使用者の好みに応じて、マットレスの各側に異なるクッション度を提供するのが望ましい。
【００１６】
複数の第１ポケット３８の各例示のポケットは、ポケット内の充填材１８を完全に包囲する状態で示してある。複数の第１ポケット３８の各例示のポケットは、ポケットに充填材１８を十分に収容し、充填材１８が誤ってポケットから抜け出ないようにし、且つ、ポケット内への選択的なアクセスを許容するように、閉鎖装置４６を更に有する。図示のように、ポケット閉鎖装置４６はジッパーであってもよいが、他の実施例では、面ファスナ等を含んでいてもよい。例示のポケット閉鎖装置４６は、カバーの内側からのみ接近可能な各ポケットの面に位置決めされている。換言すれば、ポケット閉鎖装置４６に接近し、これを操作できるようにする前に、カバー閉鎖装置３４を開放しなければならない。図３及び図５に示すように、ポケット閉鎖装置４６は、カバー１４の上面２２と実質的に平行な、各ポケットの面５０に配置することができる。この構造では、ポケット閉鎖装置４６は、マットレス１０を拡げた状態で使用するとき、充填材１８の下に位置決めされる。従って、マットレス上で休んでいる人がポケット閉鎖装置４６を感じる機会が減少する。例示の実施例には、ポケットの（図６に示す）下面５０に亘って延びるポケット閉鎖装置４６が示してあるが、別の実施例では、閉鎖装置を各ポケットの周縁の少なくとも一部の周りに位置決めしてもよい。
【００１７】
例示の実施例は、複数の第１ポケット３８の各ポケットに１つのポケット閉鎖装置４６を備えているが、別の実施例では、閉鎖装置４６を使用しない。例えば、各ポケットは、ポケットの開口部５４を封じることなく、充填材１８を完全に包囲するように形成されていてもよい。具体的には、ポケットの開口部５４は、充填材１８が誤ってポケットから抜け出てしまうことがないように、重なり合う布片を有していてもよい。更に、各ポケットが充填材１８に対して適正な大きさを備えているものと仮定すると、ポケットが充填材１８を完全に包囲している必要はない。むしろ、ポケットは、充填材１８の周縁を包囲するだけでよい。
【００１８】
図３、図４、及び図６を参照すると、布団マットレスは、更に、カバー１４の下部分２６に接続された複数の第２ポケット４２を有する。複数の第２ポケット４２は、実質的にカバー１４の下部分２６の全長Ｌに亘って延びるように、一つの層をなして配置されているか或いはカバー１４の下部分２６に沿って並列状態に位置決めされている。複数の第２ポケット４２の各ポケットは、実質的にカバー１４の幅Ｗに亘って延びている。しかしながら、他の構造では、二つ以上のポケットがカバー１４の幅Ｗに亘って延びていても良い。例えば、幾つかの実施例では、特定の使用者の好みに応じて、マットレスの各側に異なるクッション度を提供するのが望ましい。
【００１９】
完全に閉じられているように図示してある複数の第１ポケット３８とは異なり、例示の複数の第２ポケット４２は、各ポケット内の充填材１８を完全には包囲していない。むしろ、複数の第２ポケット４２の各ポケットは、充填材１８がマットレス１０内で動かないように充填材１８の周囲を包囲しているに過ぎない。しかしながら、他の実施例では、所望であれば、充填材１８を完全に包囲していてもよい。例えば、顆粒状の又は細片状の発泡体、発泡ビーズ、緩い（ｌｏｏｓｅ）コットン、等の緩い充填材１８を複数の第２ポケット４２内で使用する場合には、充填材１８を完全に包囲することが望ましい。従って、幾つかの構造では、充填材１８を完全に収容し、充填材１８が誤ってポケットから抜け出てしまうことがないようにするため、ポケット閉鎖装置４６を使用してもよい。複数の第１ポケット３８と同様に、ポケット閉鎖装置４６は、カバー１４の内側からのみ接近できる各ポケットの面に位置決めされていてもよい。
【００２０】
例示の実施例に示すように、複数の第２ポケット４２の各ポケットは、発泡体のブロック（ｂｌｏｃｋ）等の充填材１８の周縁と係合するように、ポケットの一方の面の周囲を延びる布製リップ（ｌｉｐ）５８を有している。布製リップ５８は、カバー１４の上面２２及び下面２６と実質的に平行な方向に延びている。更に、リップ５８が形成する開口部５４は、カバー１４の内側からのみ接近可能である。
【００２１】
例示の実施例は、同じ複数のポケットの各ポケットが同じ構造を備えているように示してあるが、別の実施例では、同じ複数のポケットのうちの一つ以上のポケットが、同じ複数のポケットのうちの他のポケットに対して構造が異なっていてもよい。例えば、複数の第２ポケット４２のうちの一つ以上のポケットが完全に包囲されていると共に、残りのポケットが上文中に説明した構造のリップ５８を使用してもよい。同様に、複数の第１ポケット３８のうちの一つ以上のポケットが完全には包囲されていない構造を使用すると共に残りのポケットが完全に包囲されていてもよい。
【００２２】
図２、図３、及び図６に示すように、第１及び複数の第２ポケット３８、４２の各々のポケットの数は異なっていてもよい。例えば、例示の実施例では、複数の第１ポケット３８は７個のポケットを有し、複数の第２ポケット４２は４個のポケットを有する。従って、図示のように、複数の第１ポケット３８のうちの２つのポケットが、複数の第２ポケット４２の各ポケットに対して提供される。この構成により、複数の第１ポケット及び複数の第２ポケットの各々の特定のポケットの端部が全体に整合し、布団マットレス１０に対して便利な折り畳み位置を形成する。しかしながら幾つかの構造では、折り畳み位置を形成するためにポケットの端部が整合していなくてもよい。更に、各複数のポケット３８、４２のポケットの大きさ及び数は変えてもよい。かくして、各複数のポケットは、ポケットの数が図示した数よりも多くてもよいし少なくてもよい。
【００２３】
幾つかのポケットを同じ長さを持つものとして示したが、各ポケットの長さは必ずしも同じでなくてもよい。むしろ、長さは、マットレス１０に設けられたポケットの位置に応じて変化させることができる。例えば、幾つかのマットレスは、身体の様々な部分の位置と対応する領域に分割される。従って、ポケットは、マットレス１０の幾つかの領域の所望の大きさと対応する、異なる長さを備えていてもよい。例えば、平均的な人の臀部は、一般的には、マットレスの所定の部分にあり、脊椎を適正に整合するためには、背中の小さな沈み込みよりも大きくマットレスに沈み込む必要がある。かくして、選択された長さと充填材１８の特性を有する領域をこの部分に位置決めできる。隣接する領域は、背中及び脚を臀部と適正に整合するため、長さ及び／又は充填材１８の特性が異なっていてもよい。
【００２４】
上文中に説明したように、各ポケットは、マットレス１０に対してクッション効果を提供する充填材１８を少なくとも部分的に収容するように設計されている。充填材１８には、様々なクッション材料が含まれる。例えば、マットレス１０の充填材１８には、コットンの詰め物や羊毛詰め物、又は粘弾性フォーム（ｆｏａｍ）、ポリウレタンフォーム、高反撥性（ＨＲ）フォーム等の発泡体、又は工業的に一般に使用される他の発泡体が含まれる。材料は、マットレスの好みの感触に応じて選択できる。更に、充填材は、ブロックとして形成されていてもよいし、ストリップとして形成されていてもよいし、又はウェブとして形成されていてもよい。又は緩い形態又は顆粒状形態でポケット内に配置されていてもよい。更に、異なる種類及び形状の充填材の組み合わせを単一のポケットで使用してもよい。
【００２５】
各ポケットの充填材１８は、マットレス１０に所望の感触を提供するために個々に選択できる。従って、一つ以上のポケットに同じ材料を入れてもよいし、又は一つ以上のポケットに異なる材料を入れてもよい。例示の実施例では、複数の第１ポケット３８に第１の種類の充填材１８を入れ、複数の第２ポケット４２に第２の種類の充填材１８を入れる。更に詳細には、複数の第１ポケット３８に第１の種類の発泡体を入れ、複数の第２ポケット４２に第２の種類の発泡体を入れる。第１の種類の発泡体は、米国ケンタッキー州レキシントンのテンピュ−ル・ワールドＬＬＣ社がテンピュ−ル（テンピュ−ル(Ｔｅｍｐｕｒ)は登録商標である）の商標で販売している粘弾性フォームである。第２の種類の発泡体は、高反撥性フォームである。可能な別の変形例では、複数の第１ポケット及び／又は複数の第２ポケットの各々に二つ以上の種類のフォームの組み合わせを入れる。しかしながら、一つの種類のフォームは、当該ポケットで主要な種類のフォームである。又、選択された第１ポケットに一種類のフォームを入れるか或いは更に多くの種類のフォームを入れ、第１ポケットの残りに別の一種類のフォーム又は他の多くの種類のフォームを入れることもできる。同じことが、選択された第２ポケット及び残りの第２ポケットについて言える。
【００２６】
図３及び図４に示すように、発泡体充填材は、ストリップとして、又はブロックとして形成される。これらのストリップを網目（ｎｅｔｔｉｎｇ）材料６２又は他の布で覆い、カバー１４のポケットに挿入する。網目材料６２は、発泡体をポケットに挿入したりここから取り出したりするときに発泡体を保護するのに役立つ。更に、網目材料６２に使用される材料の種類に応じて、網目材料６２は、ポケットと充填材との間の剪断力又は摩擦力の量を制御できる。例えば、充填材とポケットとの間の移動を容易にできるようにするため、剪断力を減少する材料を使用するのが望ましい。これにより、充填材１８をポケットに挿入したりここから取り出したりするのに必要な労力を減少できる。しかしながら、幾つかの実施例では、ポケット内での充填材の移動量及び／又は移動の容易さを低下させるため、剪断力が大きい材料を選択してもよい。
【００２７】
図示のように、発泡体ブロックは、ポケットとほぼ同じ大きさである。しかしながら、発泡体は、ポケットよりも僅かに大きく、又は小さく作ってもよい。例えば、幾つかの実施例では、硬い感触を提供するため、ポケットは、発泡体にぴったりと装着するように設計される。他の実施例では、柔らかな感触を提供するため、ポケットはそれ程ぴったりとは装着されない。
【００２８】
上文中に説明し、添付図面に示した実施例は、単なる例であって、本発明の概念及び原理を限定しようとするものではない。このように、本発明の精神及び範囲から逸脱することなく、構成要素及びこれらの構成要素の形体及び構成の様々な変更を行うことができるということは、当業者には理解されよう。例えば、高弾性フォームや粘弾性フォーム等の特定の種類の充填材を参照して本発明の幾つかの実施例を説明した。しかしながら、保護範囲から逸脱することなく、充填材の種類及び形状を変化させることができる。更に、幾つかの実施例は、マットレスの特定の位置にある特定のポケット構造を参照した。ポケットの位置に対するポケットの特定の構造は、保護範囲から逸脱することなく、変化させることができる。
【００２９】
以上の実施例の変形及び変更は、本発明の範囲内に含まれる。本明細書中に開示し且つ定義した発明は、本明細書中に言及した、及び／又は図面から明らかな、二つ又はそれ以上の個々の特徴の全ての別の組み合わせを含むということは理解されよう。例えば、本発明の特定の特徴及び構成要素に対する様々な変更を、本発明の特定の実施例を参照して説明した。相反する、又は上文中に説明した各実施例と首尾一貫しない特徴、構成要素、及び操作方法を除き、一つの特定の実施例を参照して説明したこの他の特徴、構成要素、及び操作方法は、他の実施例に適用できる。これらの様々な組み合わせの全てが、本発明の様々な変形例の特徴を構成する。
【００３０】
本発明の様々な特徴は、特許請求の範囲に記載してある。
【図面の簡単な説明】
【００３１】
【図１】図１は、布団マットレスを折り畳んで収納状態にした、本発明の特徴を具体化した布団マットレスの斜視図である。
【図２】図２は、布団マットレスを拡げた、図１に示すマットレスの斜視図である。
【図３】図３は、マットレスの上部分をマットレスの下部分から分離した、図２に示すマットレスの斜視図である。
【図４】図４は、マットレスの下部分の充填材を部分的に取り出した、図３に示すマットレスを下から見た斜視図である。
【図５】図５は、マットレスの上部分の充填材を部分的に取り出した、図３に示すマットレスの上側の斜視図である。
【図６】図６は、図２のマットレスの一部の断面図である。
【符号の説明】
【００３２】
１０  マットレス
１４  カバー
１８  充填材
２２  上部分
２６  下部分
３０  周縁
３４  閉鎖装置
３８  第１ポケット
４２  第２ポケット
【図１】
2008515574.tif 000003
【図２】
2008515574.tif 000004
【図３】
2008515574.tif 000005
【図４】
2008515574.tif 000006
【図５】
2008515574.tif 000007
【図６】
2008515574.tif 000008
【手続補正書】
【提出日】平成19年10月11日(2007.10.11)
【手続補正１】
【補正対象書類名】特許請求の範囲
【補正対象項目名】請求項４
【補正方法】変更
【補正の内容】
【請求項４】
請求項１乃至３のうちのいずれか一項に記載の布団マットレスにおいて、
前記閉鎖装置は、前記上部分が前記下部分から分離されることを選択的に許容するように、移動可能である、布団マットレス。
【国際調査報告】
2008515574.tif 000009
2008515574.tif 000010
2008515574.tif 000011